(57)【要約】【課題】システム全体の観点から、機器最適化配置を構成させ、既存の設備機器から最新の設備機器への最適化配置転換がエネルギー消費効率ばかりでなく他の要因も考慮された、既存の設備機器から最新の設備機器あるいは他の再使用可能な設備機器への最適化配置転換を実現する。【解決手段】省エネ換算金額情報、配置換えに要する配置換え費用情報及び市場サービス情報から市場サービス金額情報を取得して配置換え影響三要因を取得し、配置換え影響三要因に基づいて省エネ拠点配置機器の拠点グループ内最適化配置情報を形成し、  当該拠点ループ内最適化配置情報から、拠点グループ内の契約拠点に配置された現状拠点配置機器に省エネ拠点配置機器を配置換えして拠点グループ内の機器最適化配置を構成させる【選択図】図１
2020042467.tif 000002
【特許請求の範囲】
【請求項１】
市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成され、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって得られる、省エネ量データからの省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させ、
当該拠点ループ内最適化配置情報から、拠点グループ内の拠点に配置された現状拠点配置機器に省エネ拠点配置機器の配置換えを実行させる拠点グループ内の機器最適化配置を取得し、市場に拠点グループ内の機器最適化配置が構成されること
を特徴とする機器最適化配置システム。
【請求項２】
市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成され、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因に基づいて、バーチャルに予定された状態で、省エネ拠点配置機器の拠点グループ内最適化配置情報を形成させ、
当該拠点ループ内最適化配置情報から、拠点グループ内の拠点に配置された現状拠点配置機器に省エネ拠点配置機器の配置換えを実行させる拠点グループ内の機器最適化配置を取得し、市場に拠点グループ内の機器最適化配置が構成されること
を特徴とする機器最適化配置システム。
【請求項３】
請求項１又は２に記載された機器最適化配置支援システムにおいて、
市場サービス情報は、拠点グループの契約拠点外部からの市場外部情報も合わせて市場管理者端末に集合され、典型的に市場内に拠点グループを作成したことによるスケールメリットによる機器調達費の削減のサービス対応、減価償却済み又は減価償却中の拠点配置機器の再利用による機器調達費の削減のサービス対応、市場外部の機器最適化配置支援者からの支援金の取得によるサービス対応、あるいは実行される拠点グループ内の機器最適化配置のリアル状態消費エネ量から換算された炭酸ガス排出削減で得られた炭酸ガス排出削減換算金の取得によるサービス対応、省エネ効果変動へのリスクヘッジ要求に対する対応、あるいは財務指標改善要求に対する対応、契約者からの緊急性のある配置換え要求に対するサービス対応、あるいは契約者からの仕様変更した省エネ拠点配置機器の採用要求に関連したサービス対応のいずれか又はこれらの組み合わせであることを特徴とする機器最適化配置システム。
【請求項４】
請求項１又は２に記載された機器最適化配置システムにおいて、
当該拠点グループ内の配置換え情報に基づいて実行された拠点グループ内での機器最適化配置によるリアル状態省エネ量から還元価値を取得し、
取得した還元価値が市場管理者及び市場を構成する契約者に按分される按分情報が形成されたときに、按分された按分還元価値を取得すること
を特徴とする機器最適化配置システム。
【請求項５】
請求項４に記載された機器最適化配置システムであって、
取得された消費エネ量データ配置換えに要する配置換え費用情報及び市場サービス情報から、配置換え影響三要因を複数取得し、指数の大きさに基づく影響度の大きさに基づいて、複数の配置換え影響三要因から一つ配置換え影響三要因を取得し、省エネ拠点配置機器の拠点グループ内最適化配置を取得すること
を特徴とする機器最適化配置システム。
【請求項６】
市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成され、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させること
を特徴とするシステム内での機器最適化配置に実行を支援する機器最適化配置支援システム。
【請求項７】
市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成され、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させること
を特徴とするシステム内での機器最適化配置に実行を支援する機器最適化配置支援システム。
【請求項８】
請求項１又は２に記載された機器最適化配置支システムを有し、
市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされること
を特徴とする市場。
【請求項９】
市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成される機器最適化配置システムによる市場の運営方法において、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させ、
当該拠点ループ内最適化配置情報から、拠点グループ内の拠点に配置された現状拠点配置機器に省エネ拠点配置機器の配置換えを実行させる拠点グループ内の機器最適化配置を取得し、市場に拠点グループ内の機器最適化配置を構成すること
を特徴とする機器最適化配置システムによる市場の運営方法。
【請求項１０】
市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成される機器最適化配置システムによる市場の運営方法において、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させ、
当該拠点ループ内最適化配置情報から、拠点グループ内の拠点に配置された現状拠点配置機器に省エネ拠点配置機器の配置換えを実行させる拠点グループ内の機器最適化配置を取得し、市場に拠点グループ内の機器最適化配置を構成すること
を特徴とする機器最適化配置システムによる市場の運営方法。
【発明の詳細な説明】
【技術分野】
【０００１】
本発明は、機器最適化配置システム、機器最適化配置支援システム、市場及び機器最適化配置システムによる市場の運営方法に関する。
【背景技術】
【０００２】
省エネルギー化提案システムが多数提案されている。
【０００３】
特許文献１には、ユーザが使用している現状の機器の構成の一部を、現状の機器よりも環境負荷量が少ない別の機器に置換する場合の機器構成を持つプラン作成を有した省エネルギー化提案システムが記載される。
【０００４】
特許文献２には、インバータ導入前の消費電力を演算し、インバータ導入後の消費電力を取得し、両者の差から省消費電力量を演算することが記載される。
【０００５】
特許文献３には、算出されたネネルギー消費効率が最新の設備機器のエネルギー消費効率より低下している場合、既存の設備機器が旧式であり更新が必要であると診断することが記載される。
【先行技術文献】
【特許文献】
【０００６】
【特許文献１】特許第５８６１１００号公報
【特許文献２】特許第３９７６９８８号公報
【特許文献３】特許第５４７９７１４号公報
【発明の概要】
【発明が解決しようとする課題】
【０００７】
特許文献に記載されているように、従来省エネルギー化提案システムが多数提案されている。特許文献３には、既存の設備機器が旧式であり更新が必要であると診断することが記載されるが、エネルギー消費効率が低下した場合の既存の設備機器から最新の設備機器への転換が提案される。確かに、エネルギー消費効率が低下した場合に、既存の設備機器から最新の設備機器への転換は大きな転換要因であるが、システム全体における設備機器の最適配置を考慮すれば、既存の設備機器から最新の設備機器への転換に際してエネルギー消費効率が考慮することは当然としてエネルギー消費効率ばかりでなく他の要因に起因して配置転換がなされることが求められる。他の要因を主たる配置換え要因とすることも、既存の設備機器から最新の設備機器への最適化された配置が実現され得る。
【０００８】
本発明は、かかる点に鑑みシステム全体の観点から、機器最適化配置を構成させ、既存の設備機器から最新の設備機器への最適化配置転換がエネルギー消費効率ばかりでなく他の要因も考慮された、既存の設備機器から最新の設備機器あるいは他の再使用可能な設備機器への最適化配置転換を実現することを課題とする。
【課題を解決するための手段】
【０００９】
本発明は、市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成され、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって得られる、省エネ量データからの省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させ、
当該拠点ループ内最適化配置情報から、拠点グループ内の拠点に配置された現状拠点配置機器に省エネ拠点配置機器の配置換えを実行させる拠点グループ内の機器最適化配置を取得し、市場に拠点グループ内の機器最適化配置が構成されること
を特徴とする機器最適化配置システムを提供する。
【００１０】
本発明は、市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成され、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させ、
当該拠点ループ内最適化配置情報から、拠点グループ内の拠点に配置された現状拠点配置機器に省エネ拠点配置機器の配置換えを実行させる拠点グループ内の機器最適化配置を取得し、市場に拠点グループ内の機器最適化配置が構成されること
を特徴とする機器最適化配置システムを提供する。
【００１１】
本発明は、上述された機器最適化配置援システムにおいて、
市場サービス情報は、拠点グループの契約拠点外部からの市場外部情報も合わせて市場管理者端末に集合され、典型的に市場内に拠点グループを作成したことによるスケールメリットによる機器調達費の削減のサービス対応、減価償却済み又は減価償却中の拠点配置機器の再利用による機器調達費の削減のサービス対応、市場外部の機器最適化配置支援者からの支援金の取得によるサービス対応、あるいは実行される拠点グループ内の機器最適化配置のリアル状態消費エネ量から換算された炭酸ガス排出削減で得られた炭酸ガス排出削減換算金の取得によるサービス対応、省エネ効果変動へのリスクヘッジ要求に対する対応、あるいは財務指標改善要求に対する対応、契約者からの緊急性のある配置換え要求に対するサービス対応、あるいは契約者からの仕様変更した省エネ拠点配置機器の採用要求に関連したサービス対応のいずれか又はこれらの組み合わせであることを特徴とする機器最適化配置システムを提供する。
【００１２】
本発明は、上述された機器最適化配置システムにおいて、
当該拠点グループ内の配置換え情報に基づいて実行された拠点グループ内での機器最適化配置によるリアル状態省エネ量から還元価値を取得し、
取得した還元価値が市場管理者及び市場を構成する契約者に按分される按分情報が形成されたときに、按分された按分還元価値を取得すること
を特徴とする機器最適化配置システムを提供する。
【００１３】
本発明は、上述された機器最適化配置システムであって、
取得された消費エネ量データ配置換えに要する配置換え費用情報及び市場サービス情報から、配置換え影響三要因を複数取得し、指数の大きさに基づく影響度の大きさに基づいて、複数の配置換え影響三要因から一つ配置換え影響三要因を取得し、省エネ拠点配置機器の拠点グループ内最適化配置を取得すること
を特徴とする機器最適化配置システムを提供する。
【００１４】
本発明は、市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成され、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させること
を特徴とするシステム内での機器最適化配置に実行を支援する機器最適化配置支援システムを提供する。
【００１５】
本発明は、市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成され、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させること
を特徴とするシステム内での機器最適化配置に実行を支援する機器最適化配置支援システムを提供する。
【００１６】
本発明は、上述された機器最適化配置支システムを有し、
市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされること
を特徴とする市場を提供する。
【００１７】
本発明は、市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成される機器最適化配置システムの運営方法において、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させ、
当該拠点ループ内最適化配置情報から、拠点グループ内の拠点に配置された現状拠点配置機器に省エネ拠点配置機器の配置換えを実行させる拠点グループ内の機器最適化配置を取得し、市場に拠点グループ内の機器最適化配置を構成すること
を特徴とする機器最適化配置システムの運営方法を提供する。
【００１８】
本発明は、市場管理者によって管理される管理拠点及び市場管理者と契約者との間契約に基づいて管理される多数の契約拠点が設けられて、通信システムに連係され、管理拠点に市場管理者端末が配置され、及び各契約拠点に拠点配置機器が配置され、契約拠点に配置された拠点配置機器から配置転換に関連した情報が集合され、市場管理者の市場管理の下に拠点配置機器の配置転換がなされる市場が形成され、
市場管理者端末が契約者端末ごとの電子フアイル及び演算処理手段を備え、拠点配置機器が現状消費エネ状態の現状拠点配置機器及び現状消費エネに対して省エネ状態の出力制御パターンで運転され得る省エネ拠点配置機器とからなり、
現状拠点配置機器及び省エネ拠点配置機器が、それぞれ消費する消費エネ量を計測する計測装置を備え、市場を構成する契約拠点から多数の契約拠点が市場管理者によって選択されたときに、選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成される機器最適化配置システムの運営方法において、
市場管理者端末が、電子フアイルに、拠点グループに属する契約拠点に配置された現状拠点配置機器及び当該現状拠点配置機器の現状の消費エネ状態情報、現状拠点配置機器に配置換えがバーチャルに予定された省エネ拠点配置機器及び省エネ拠点配置機器の消費エネ状態情報、当該バーチャルに予定された状態での、現状拠点配置機器に省エネ拠点配置機器が配置換えされるときの配置換え費用情報、及び形成された配置機器ごとの市場サービス情報を記録させ、
市場管理者端末が、演算処理手段に、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得させ、及び現状拠点配置機器に省エネ拠点配置機器が配置換えされたときの配置換えに要する配置換え費用情報を取得させ、また市場管理者によって形成された市場サービス情報を取得させ、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させ、
当該拠点ループ内最適化配置情報から、拠点グループ内の拠点に配置された現状拠点配置機器に省エネ拠点配置機器の配置換えを実行させる拠点グループ内の機器最適化配置を取得し、市場に拠点グループ内の機器最適化配置を構成すること
を特徴とする機器最適化配置システムの運営方法を提供する。
【発明の効果】
【００１９】
本発明によれば、選択された拠点から拠点グループが形成され、拠点グループの拠点に配置された契約者端末から契約者からの契約者ニーズ情報及び市場管理者端末からの市場環境情報が収集され、市場管理者が市場サービス情報を形成することが容易になし得るものとされ、省エネ情報、省エネ情報から取得される省エネ指数情報、置換えに要する配置換え情報、置換えに要する配置換え情報から取得される配置換え費用指数及び情報当該配置換えに際して付加価値を付与する市場サービス情報、市場サービス情報から取得された市場サービス指数情報を取得して配置換え三要因を取得し、配置換え三要因からグループ内最適化配置情報を形成することができる。
【００２０】
これによって、システム全体の観点から、拠点グループ内の機器最適化配置を構成させることができ、既存の設備機器から最新の設備機器への最適化配置転換がエネルギー消費効率ばかりでなく他の要因も考慮された、既存の設備機器から最新の設備機器あるいは他の再使用可能な設備機器への最適化配置転換が実現される。
【図面の簡単な説明】
【００２１】
【図１】本発明のコンセプトを示す図である。
【図２】本発明の実施例の機器最適化配置システムの構成を示す図
【図３】契約者別電子ファイルを示す図
【図４】市場管理者端末及び契約者端末の機能を示す図
【図５（１）】機器最適化の事例を示す図
【図５（２）】機器最適化の事例を示す図
【図６】機器最適化配置の運営方法を示す図
【図７】配置換え影響度を数値情報化する一つの方法を示す図
【図８】拠点グループコードを示す図
【図９（１）】理想省エネ可能性量を示す図
【図９（２）】理想省エネ可能性量を示す図
【図１０】配置換え費用情報を決定する要素について説明する図
【発明を実施するための形態】
【００２２】
以下、本発明の実施例を図面に基づいて説明する。
【００２３】
本実施例において使用される用語は、次のように定義される。
＜省エネ＞消費エネルギーである。
＜市場＞現状拠点配置機器に省エネ拠点配置機器を配置換えするための目的で、契約者と市場管理者との間の契約で設けられた現状拠点配置機器に省エネ拠点配置機器を配置換えするための、市場管理者によって設立された拠点配置機器配置換え取り引きの場であり、機器配置換えシステムを備える。
＜拠点＞市場内に設けられる取り引き対象点で、管理拠点及び契約拠点からなる。管理拠点は、史上管理者によって管理され、契約拠点は契約者によって管理される。
＜拠点配置機器＞現状拠点配置機器及び省エネ拠点配置機器からなる。
＜配置換えされる機器＞現状拠点配置機器と省エネ拠点配置機器とは、現状拠点配置機器に省エネ拠点配置機器を配置換え許容するための同一の構成・構造を備えたエネルギー消費することで仕事をする機器である。
＜現状拠点配置機器＞市場に設備された既存の設備機器である。あるいは市場に設備された再使用可能な設備機器である場合もある。
＜省エネ拠点配置機器＞市場に設備された最新の設備機器であり、あるいは再使用可能な設備機器である。
＜拠点グループ＞市場に属する契約拠点から市場管理者によって選定され、形成されたグループ。
＜機器最適化配置＞機器を配置転換することで、契約者が要望する方向に近づけがなされた配置構成。
＜バーチャルに配置＞実行配置換え設定のために仮に設定された配置換えによる配置で、市場サービス情報を基に市場管理者によって設定される。バーチャル配置の内の最適な配置として評価された配置換えが実行配置換えとなる。
＜市場サービス情報＞拠点グループの契約拠点に配置された契約者端末からの契約者情報及び市場管理者端末からの市場環境情報が集合され、市場管理者によって拠点配置機器の配置換え費用を減少させ、サービスを提供する要因情報。典型的には、市場管理者によって拠点配置機器の配置換え費用を減少させ、サービスを提供する要因情報であるが、契約者からの要求によっては、拠点配置機器の配置換え費用を増加させる要因情報が含まれる。
＜省エネデータ＞所定時間内で理想消費エネ状態量から現状消費エネ状態量を差し引くことで求められる。
＜配置換え費用＞現状拠点配置機器に省エネ拠点配置機器を配置換えするために出費される費用。
【００２４】
図１  本発明のコンセプトを示す図である。
【００２５】
本発明は、機器最適化配置システム１００を提供する。機器最適化配置システム１００は、次のように構築される。
【００２６】
上図は、従来の機器配置のモデル９０を示す。この図において、管理者は、新しい機器１１Aを提供する業者をいう。契約者は、新しい機器１１Aを配置換えで導入する利用者、すなわち機器の所有者をいう。
【００２７】
従来、管理者１と契約者２との取り引きは、個別相対取り引きであって、互いの取り引きの間には何の関係も生じていない。この場合、配置換えは、既存の機器の撤去という限定的な提案がなされた。また、契約者２から管理者１に、既存の機器の撤去すること以外、配置換え情報の提供は必要とされなかった。
【００２８】
下図は、新しい機器配置のモデル１００を示す。この図において、機器配置換えのための市場が市場管理者によって形成された。配置換え可能な機器を所有する利用者、すなわち機器の所有者を対象にして最適化配置のための契約が締結され、契約者２を対象にして市場グループが形成され、契約拠点が設定され、契約拠点配置機器が市場管理者端末３に登録された。
【００２９】
市場管理者端末３には、契約者別電子ファイル３０が作られる。
【００３０】
市場管理者端末３には、
・市場の定性的情報
・市場外部情報
・配置機器の個別情報
が市場関係情報２４として収集される。この市場関係情報２４を基にして、市場管理者１の市場運営上のノウハウが組み合わされて市場サービス情報３が形成される。これによって、市場管理者１から市場グループに参加する契約者２に、サービス情報が加味されることにより、配置機器の最適化組み合わせ配置換えが簡素化を考慮した機器最適化配置が提案可能となる。
【００３１】
図２は、本発明の実施例の機器最適化配置システムの構成を示す図である。
【００３２】
図２は、図１に示される機器最適化配置システム１００のコンセプトを実現するための実施例を示す。
【００３３】
本発明の実施例の機器最適化配置システム１００は、次のように構成される。
【００３４】
市場管理者１によって形成され管理される少なくとも１つの管理拠点５及び市場管理者１と契約者２との間の契約に基づいて管理される多数の契約拠点６が設けられて市場１０が形成される。市場１０は、多数の契約拠点６及び管理拠点５を結んだ多点接合型をなし、機器最適化配置システム１００を備える。機器最適化配置システム１００には、機器最適化配置支援システムが付属される。
【００３５】
管理拠点５に配置された市場管理者端末３及び契約拠点６に配置された契約者端末４が通信部（送信）１５及び通信部（受信）１６を備えたから通信システム１７によって接続連携される。市場管理者端末３及び契約者端末４としては、ＰＣ（パソコン）４６が挙げられる。
【００３６】
各契約拠点６に拠点配置機器１１が配置される。  拠点配置機器１１が現状消費エネ状態の現状拠点配置機器１２及び現状消費エネに対して省エネ状態の出力制御パターンで運転され得る省エネ拠点配置機器１３とからなる。拠点配置機器１１は、典型的には、市場管理者から貸与４８される。拠点配置機器１１が市場管理者から貸与４８されるシステムの採用によって、省エネ効果になる理由に限定されずに、他に理由であっても配置換えを促進させることができる。
【００３７】
拠点配置機器１１の典型的例としては、時々刻々に消費エネが関係するモータ４１、モータ&インバータ（ＩＮＶ）４２あるいは変圧器４３が挙げられる。拠点配置機器１１はこれらの機器に限定されない。
【００３８】
現状拠点配置機器１２及び省エネ拠点配置機器１３が、それぞれ消費する消費エネ量を計測する計測部１４を持つ計測装置と、通信部（送信）１５の通信システム１７の一部とを有して構成される。
【００３９】
計測部１４としては、ワイヤレス電流センサ４４、あるいは電力監視ユニット４５が挙げられる。通信部（送信）１５としては、セキュアな無線lot通信４７が採用可能である。
【００４０】
市場を構成する契約、拠点６から多数の契約拠点が市場管理者によって選択されたときに、選択された契約拠点から拠点グループ２１が形成される。拠点グループ２１内に契約拠点６が属することになる。
【００４１】
拠点グループ２１の契約拠点６に契約者端末４が配置される。  契約者端末４からの契約者情報２２及び市場外部から市場外部情報２３が市場管理者端末３に収集される。
【００４２】
市場外部から市場外部情報２３は市場管理者端末３集合され、契約者端末４から送付される契約者情報が参照されて市場管理者すなわちサービス提供情報が生成され、生成された市場環境情報２４がサービス提供情報として集合される。契約者情報２２市場管理者端末３からの収集された市場環境情報２４から、市場管理者１によって拠点配置機器１１の配置換え費用を減少させ、サービスを提供する要因情報からなる市場サービス情報２５が形成される。選択された契約拠点から拠点グループが形成され、拠点グループの契約拠点に配置された契約者端末から契約者の発する契約者情報が市場管理者端末に集合され、各拠点配置機器の配置換えの付加価値を増大させるサービスを提供する要因情報からなる拠点配置機器ごとの市場サービス情報が市場管理者によって形成される。
【００４３】
市場サービス情報２５には、省エネを増大させ、拠点配置機器１１の配置換え費用を減少させる情報に加えて、契約者の要望に応えて最適な配置換え提供情報を含むサービス情報提供の要因が含まれる。
【００４４】
契約者情報２２としては、
・契約者からの緊急性のある配置換え要求
・仕様変更した省エネ拠点配置機器の採用要求
・省エネ効果変動へのリスクヘッジ要求、あるいは
・財務指標改善要求
に対する対応がある。
【００４５】
市場外部情報２３としては、
・ＣＯ２換算係数（ＣＯ２削減に伴う排出取り引き得られる金額換算のための係数）
・各種電力料金単価
・業界生産指数
・各プロセス生産指数
・各種経済指標
・個人消費者評価
に対する対応がある。これらの情報は、最適化配置算出用参考データとして市場管理者端末３に提供される。
【００４６】
市場サービス情報は、拠点グループの契約拠点外部からの市場外部情報も合わせて市場管理者端末に集合され、典型的に市場内に拠点グループを作成したことによるスケールメリットによる機器調達費の削減のサービス対応、減価償却済み又は減価償却中の拠点配置機器の再利用による機器調達費の削減のサービス対応、市場外部の機器最適化配置支援者からの支援金の取得によるサービス対応、あるいは実行される拠点グループ内の機器最適化配置のリアル状態消費エネ量から換算された炭酸ガス排出削減で得られた炭酸ガス排出削減換算金の取得によるサービス対応、省エネ効果変動へのリスクヘッジ要求に対する対応、あるいは財務指標改善要求に対する対応、契約者からの緊急性のある配置換え要求に対するサービス対応、あるいは契約者からの仕様変更した省エネ拠点配置機器の採用要求に関連したサービス対応のいずれか又はこれらの組み合わせであることを特徴とする。
【００４７】
市場管理者端末３が、通信部（受信）１６である通信システムの一部と契約者端末ごとの電子フアイル３０を備える。
【００４８】
図３は、契約者別電子ファイル３０を示す図である。
【００４９】
図３において、電子フアイル３０が、契約者別に、
・現状拠点配置機器
・現状省エネ状態情報
・バーチャルに配置予定の省エネ拠点配置機器及びその消費エネ状態情報
・配置換え費用情報
・市場管理者によって形成された市場サービス情報と市場サービス情報から取得される市場サービス指数（例えば、金額）情報
を記録する。
【００５０】
図２に戻って、市場管理者端末３が、演算処理手段を備える。
【００５１】
演算処理手段が、
各契約拠点に配置された現状拠点配置機器に、省エネ拠点配置機器がバーチャルに予定された状態で配置転換されて、省エネ状態の出力制御パターンに従って運転された場合の操業状態と消費エネ量との関係から消費エネ量データを取得し、及び現状拠点配置機器に省エネ拠点配置機器が配置換えされたときの配置換えに要する配置換え費用情報を取得し、また市場管理者によって形成された市場サービス情報を取得し、バーチャルに予定された状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得し、配置換え影響三要因基づいて、バーチャルに予定された状態で、省エネ拠点配置機器の拠点グループ内最適化配置情報を形成する。
【００５２】
消費エネ量データの大きさ、配置換え費用の大きさ、市場サービス情報の種類について予め付与した指数から各指数化することができる。
【００５３】
省エネ指数情報の典型的事例は、指数を金額に転換した省エネ換算金額であり、配置換え費用指数情報の典型的事例は、指数を金額に転換した配置換え費用であり、市場サービス指数情報の典型的事例は、指数を金額に転換した市場サービス金額である。省エネ換算金額、配置換え費用及び市場サービス金額から配置換え影響三要因を取得し、配置換え影響三要因に基づいて省エネ拠点配置機器の拠点グループ内最適化配置情報を形成することができる。
【００５４】
市場サービス情報２５、省エネデータ及び配置換え費用情報から市場へのアクション２８が可能とされる。
【００５５】
市場１０へのアクション２８に伴って、
・配置換え影響度を数値情報化する配置換え影響三要因８の取得
（１） 省エネ指数情報
（２） 配置換え費用指数情報
（３） 市場サービス指数情報
の取得
・拠点グループ内最適化配置情報９の取得
・拠点グループ内最適化配置の実行
がなされる。
【００５６】
拠点ループ内最適化配置情報から、拠点グループ内の拠点に配置された現状拠点配置機器に省エネ拠点配置機器が配置換えされて拠点グループ内の機器最適化配置が構成されて、機器最適化配置システム１００が構成される。
【００５７】
図４は、市場管理者端末及び契約者端末の機能を示す図である。
【００５８】
図４において、多数の契約者端末４と市場管理者端末３は、形成された市場１０内に設けられて通信システム１７で結ばれて、機器最適化配置システム１００が構成され、市場管理者端末３内に機器最適化配置支援システム２００が構成される。
【００５９】
機器最適化配置システム１００内において、契約者２及び市場管理者１が活動し、そのための契約端末４及び市場管理者端末３が用いられる。
【００６０】
契約者２は、
・機器最適化配置を市場管理者１に要求
・その他の各種の要求、典型的には緊急配置換の要求、仕様変更の要求
を行なう。
【００６１】
契約端末３は、これらの要求を市場管理者端末３に伝達する。
【００６２】
市場管理者１は、
・市場及び拠点グループの形成
・市場サービス情報の形成
・各契約者への最適化配置提案
を行なう。市場サービス情報は、随時生成され、契約者別電子ファイル３０に格納される。各契約者への最適化配置提案は、随時になされ、期間と実行日が決められて、所定期間内に最適化配置をなす計画が立案される。
【００６３】
市場管理者端末３は、
配置換え影響三要因８である
・配置換えによる省エネデータの取得
・市場サービス情報の取得
・配置換え費用情報の取得
をなし。
【００６４】
・拠点グループ内最適化配置情報９の取得
を行う。
【００６５】
配置換えによる省エネデータの取得には、配置換え実行計画のための仮想配置であるバーチャル状態での配置換えによる省エネデータの取得と配置換え実行による配置換えによる省エネデータの取得が含まれる。拠点内最適化配置情報は複数形成され、市場管理者が最適と判断する拠点内最適化配置が選択され、各契約者への最適化配置提案９とし、各契約者への最適化配置提案は、各契約者の承認の下に配置実行に移される。
【００６６】
図５は、機器最適化の事例を示す図である。
【００６７】
図５（１）には、機器最適化のための事例として、ケース１、ケース２及びケース３は記載される。市場１０は、拠点Ａ〜拠点Ｆまでの５つの拠点が記載されるが、通常拠点は５つ以上となる。現状拠点配置機器に省エネ拠点配置機器を配置換えすることが可能にして拠点グループが形成される。
【００６８】
ケース１の場合：拠点Aにおける配置換えを示す。省エネ拠点配置機器が現状拠点配置機器に配置換えされる。省エネ拠点配置機器は、最新の設備機器であり、あるいは再使用可能な設備機器である。
【００６９】
このような例の場合、省エネ拠点配置機器の消費エネ状態は、現状拠点配置機器の消費エネ状態よりもよく、すなわち同一の仕事に対して消費電力が少なく、配置換えをすることで、省エネ効果が期待できる。配置換え費用を考慮しても配置換えが推奨される例である。
【００７０】
ケース２の場合：拠点B及び拠点Cにおける配置換えを示す。拠点Bにおいて、省エネ拠点配置機器が現状拠点配置機器に配置換えされる。省エネ拠点配置機器は、最新の設備機器であり、あるいは再使用可能な設備機器である。現状拠点配置機器は、既存の設備機器である。
【００７１】
このような例の場合、省エネ拠点配置機器の消費エネ状態は、現状拠点配置機器の消費エネ状態よりもよく、すなわち同一の仕事に対して消費電力が少なく、配置換えをすることで、省エネ効果が期待できる。配置換え費用を考慮しても配置換えが推奨される例である。
【００７２】
拠点Bで使用されていた現状拠点配置機器であっても、既存配置の省エネ拠点配置機器であった。経年しており、その分減価償却中であり、配置換えに要する格安の状態にあった。この情報は、契約者２から市場管理者１に通信システムを介して、あるいは口頭で伝達された。市場管理者１は、拠点Cに配置の現状拠点配置機器が既存の設備機器で、配置換えで省エネ効果が期待できることを承知していた。このような状況下、市場サービス情報が活用されて、拠点B配置の現状の拠点配置の再使用による活用がなされた。
【００７３】
ケース３の場合：拠点D配置の現状拠点配置機器が拠点E配置の現状拠点配置機器に配置換えされ、拠点E配置の現状拠点配置機器が拠点Fは配置の現状拠点配置機器に配置換えされ、拠点F配置の現状拠点配置機器が拠点Dは配置の現状拠点配置機器に配置換えされた。各拠点に配置された現状の拠点配置機器は、既存配置の省エネ拠点配置機器であった。このため、省エネ効果が期待できない。拠点D配置の現状拠点配置機器の操業停止されることに起因して、また原価焼却の程度が考量されてサイクル上のローテーションが実行された。この例は、市場サービス情報２５と配置換え費用情報２７に基づく市場アクション２８が実行された例である。
【００７４】
省エネ換算金額情報、配置換えに要する配置換え費用情報及び市場サービス情報から市場サービス金額情報を取得して配置換え影響三要因を取得し、配置換え影響三要因に基づいて省エネ拠点配置機器の拠点グループ内最適化配置情報を形成し、
当該拠点ループ内最適化配置情報から、拠点グループ内の拠点に配置された現状拠点配置機器に省エネ拠点配置機器が配置換えされて拠点グループ内の機器最適化配置が構成されたが、契約拠点数が数百台に及ぶ場合には、例えば省エネ換算金額情報、例えば配置換えに要する配置換え費用情報及び市場サービス情報から、例えば市場サービス金額情報を取得して配置換え影響度を数値情報化する配置換え影響三要因を取得し、数値情報化した影響度に基づいて省エネ拠点配置機器の拠点グループ内最適化配置情報を形成し、
当該拠点ループ内最適化配置情報から、拠点グループ内の拠点に配置された現状拠点配置機器に省エネ拠点配置機器が配置換えされて拠点グループ内の機器最適化配置構成が採用される。
【００７５】
図５（２）は、配置変換要因に起因して、現状拠点配置機器１２に省エネ拠点配置機器を配置転換する結果が派生する状況を示す。図において「変動」は、要因が変動することであり、「一定」は、要因に変動が生じないことを示す。例えば、事例１にあっては、現状拠点配置機器１２に省エネ拠点配置機器を配置転換が三つの要因が変動することでなされ得ることを示す。
【００７６】
バーチャルに予定された配置換え状態で、所定期間、省エネ拠点配置機器の省エネ状態の出力制御パターン操業によって、現状拠点配置機器と省エネ拠点配置機器とに省エネ指数情報に変動がないときに、変動のない省エネ指数情報、配置換えに要する配置換え費用情報からの配置換え費用指数情報及び市場サービス情報からの市場サービス指数情報からなる配置換え影響三要因を取得させ、配置換え影響三要因基づいて、バーチャルに予定された状態で、省エネ拠点配置機器の拠点グループ内最適化配置情報を形成させる。
【００７７】
図６は、機器最適化配置による市場の運営方法を示す図である。
【００７８】
図６において、市場管理者によって市場が形成されてときに、現状拠点配置機器１２に対する省エネ拠点配置機器１３の配置換えが次のようにしてなされる。
【００７９】
市場サービス情報の形成が市場管理者によってなされる（S１）。
【００８０】
配置換えによる省エネデータ及び省エネ指数情報の取得がなされる（S２）。
【００８１】
配置換え費用情報及び配置換え費用指数情報の取得がなされる（S３）。
【００８２】
市場サービス情報及び市場サービス指数の取得がなされる（S４）.
配置換え影響三要因の取得及び配置換え影響度の数値情報化（S５）。
【００８３】
複数の拠点グループ最適化配置情報の取得（S６）。
【００８４】
市場管理者１によって、複数の拠点グループ最適化配置情報が評価される（S７）。
【００８５】
評価に基づいて、選択された拠点グループ最適化配置情報の取得がなされる（S８）。
【００８６】
数値化されたデータから評価を行い、評価に基づいて、選択された拠点グループ最適化配置情報の取得することで、市場管理者１によらずに自動的に拠点グループ最適化配置情報を選択できる。
【００８７】
拠点グループ内最適化配置換えを実行する（S９）。
【００８８】
これらのステップを踏むことで、例えば数年ごとに現状拠点配置機器１２に対する省エネ拠点配置機器１３の配置換えがなされる。
【００８９】
図７は、配置換え影響度を指数、例えば数値情報化する一つの方法を示す図である。
【００９０】
図７において、X軸は、配置換え費用情報に基づく配置換え指数情報を示し。軸上に配置換え指数、例えば配置換え金額が表示される。配置換え費用削減情報は、現状拠点配置機器１２に省エネ拠点配置機器１３を配置換えさせる方向に作用する。
【００９１】
Y軸は、配置換えによる省エネデータに基づく省エネ指数情報を示し。軸上に省エネ指数、例えば省エネから求められた省電力値に基づく配置換え金額が表示される。省エネデータに基づく省エネ指数の向上は、現状拠点配置機器１２に省エネ拠点配置機器１３を配置換えさせる方向に作用する。
【００９２】
Z軸は、市場サービス情報に基づく市場サービス指数を示し。軸上に市場サービス指数、例えば指数が金額に転換された市場サービス金額が表示される。市場サービス情報に基づく市場サービス指数の向上は、配置換え費用削減情報は、現状拠点配置機器１２に省エネ拠点配置機器１３を配置換えさせる方向に作用する。
【００９３】
X、Y、Z軸上に表された３つの指数から体積が求められ、配置換え影響度を数値化することができ、数値の大きさに基づいて、複数の拠点グループ内の機器最適化配置を作成された複数の拠点グループ内の機器最適化配置を市場管理者が選択することができる。複数の拠点グループ内の機器最適化配置を作成するに際して、配置換え影響度の指数化は、便利に供される。市場管理者端末３によって機械的に求められたて指数値に依存して拠点グループ内の機器最適化配置が作成され得る。  各指数を金額に換算すれば、単純加算で配置換え影響度をより目に見える形で、評価を容易にする形で数値化することができ、演算処理がより簡便化される。数値化にはランクによる段階数値が含まれる。
【００９４】
図８は、拠点グループコードを示す図である。
【００９５】
図８は、業界及び当業界内の企業に対応して拠点グループが形成された状態を示す。
【００９６】
拠点グループコードは、契約者別電子ファイル３０に登録される。
【００９７】
本実施例において、市場を構成する契約拠点から多数の契約拠点が市場管理者によって選択されたときに、選択された契約拠点６から拠点グループ２１が形成された。
【００９８】
拠点グループの形成は、現状拠点配置機器１２と省エネ拠点配置機器１３とが配置換えを許容する構造・構成を持つことを前提に、国、地域、業界、企業、使用者のいくつかを組合わることで設定される。これらには限定されない。拠点グループを形成する契約拠点数に制限はない。
【００９９】
形成された拠点グループに、拠点グループコードが付与される。拠点グループコードは、例えば図に示されるように、業界コード、契約者（この場合企業）コード、拠点コード、拠点コードを細分化した接続点コード及びプロセスコードからなる。
【０１００】
図９は、理想省エネ可能性量を示す図である。図９（１）は、モータが事例として選択された場合の理想省エネ可能性量を示し、図９（２）は、変圧器が事例として選択された場合の理想省エネ可能性量を示す。
【０１０１】
図９は、配置換えによる省エネデータの一つ取得方法を示す。省エネデータは、所定時間内で理想消費エネ状態量から現状消費エネ状態量を差し引くことで求められる。省エネデータは、操業率によって変わるので、図ではある操業率における省エネを理想省エネ可能量として記載される。
【０１０２】
得られた理想省エネ可能量から、月間理想省エネ可能量及び月間理想省エネ可能量が取得される。必要に応じて４０年間の理想省エネ可能量が取得される。
【０１０３】
省エネデータからCO２削減量が算出される。算出されたCO２削減量を市場サービス指数あるいはCO２削減に基づく市場サービス金額を算出して、市場サービス情報の一つとすることができる。
【０１０４】
図１０は、配置換え費用情報を決定する要素について説明する図である。
【０１０５】
配置換え費用情報を決定する要素としては、
１． 設置費用
２． 輸送費用
３． 撤去費用
４． 拠点環境
があり、各１個あるいはそれらの組み合わせについて、パワー密度増、重量増、容積増の程度が勘案され、拠点配置機器の費用影響度合いが求められる。これらについての変動程度が一定であれば、拠点配置機器の費用影響度合いに変化がないと取り扱われる。  拠点配置機器の費用影響度合いの程度に対応して市場管理者によって配置換え費用指数が決定される。
【０１０６】
本実施例によれば、システム全体の観点から、拠点グループ内の機器最適化配置を構成させることができ、既存の設備機器から最新の設備機器への最適化配置転換がエネルギー消費効率ばかりでなく他の要因も考慮された、既存の設備機器から最新の設備機器あるいは他の再使用可能な設備機器への最適化配置転換が実現される。
【符号の説明】
【０１０７】
１００…機器最適化配置システム、１…市場管理者、２…契約者、３…市場管理者端末、４…契約者端末、５…管理拠点、６…契約拠点、８…配置換え影響三要因、９…各契約者への最適化配置提案、１０…市場、１１…拠点配置機器、１１A…機器、１２…現状拠点配置機器、１３…省エネ拠点配置機器、１４…計測部、１５通信部（送信）、１６…通信部（受信）、１７…通信システム、２１…拠点グループ、２２…契約者情報、２３…市場外部情報、２４…市場関係情報、２５…市場情報サービシ情報、２６…省エネデータ、２７…配置換え費用情報、２８…市場へのアクション、３０…契約者別電子ファイル。
【図１】
2020042467.tif 000003
【図２】
2020042467.tif 000004
【図３】
2020042467.tif 000005
【図４】
2020042467.tif 000006
【図５（１）】
2020042467.tif 000007
【図５（２）】
2020042467.tif 000008
【図６】
2020042467.tif 000009
【図７】
2020042467.tif 000010
【図８】
2020042467.tif 000011
【図９（１）】
2020042467.tif 000012
【図９（２）】
2020042467.tif 000013
【図１０】
2020042467.tif 000014
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされる市場が形成され、
拠点配置機器が現状消費エネ状態の現状拠点配置機器及び当該現状拠点配置機器に配置換えされ、現状消費エネに対して省エネ状態の出力制御パターンで運転され得る省エネ拠点配置機器とからなり、
現状拠点配置機器及び配置換えされた省エネ拠点配置機器が、それぞれ消費する消費エネ量を計測する計測装置を備え、当該現状拠点配置機器を省エネ拠点配置機器に配置換えされることで当該省エネ拠点配置機器ごとに付加価値を提供する市場サービス情報が市場管理者によって形成され、
市場管理者端末が、
前記拠点グループ、当該拠点グループ内の契約拠点に配置された現状拠点配置機器及び当該現状拠点配置機器ごとの現状の消費エネ状態情報、及び拠点グループ内の現状拠点配置機器に対して拠点グループ内の省エネ拠点配置機器でもってバーチャルに予定された状態で配置換え可能な省エネ拠点配置機器及び当該省エネ拠点配置機器ごとの消費エネ状態情報、当該現状拠点配置機器を省エネ拠点配置機器に配置換えされることで省エネ拠点配置機器ごとに付加価値を提供する市場サービス情報及び当該現状拠点配置機器から前記省エネ拠点配置機器に配置換えされたときの配置換え費用情報を記録し、
各契約拠点に配置された現状拠点配置機器に対して拠点グループ内の省エネ拠点配置機器がバーチャルに予定された状態で配置換えされて、省エネ状態の出力制御パターンに従って運転された場合の操業状態と双方の消費エネ量との関係から省エネ量データを取得し、また当該現状拠点配置機器を省エネ拠点配置機器に配置換えされることで省エネ拠点配置機器ごとに付加価値を提供する市場サービス情報を取得し及び前記省エネ拠点配置機器に配置換えされたときの配置換えに要する配置換え費用情報を取得し、前記省エネ量データ、前記市場サービス情報及び前記配置換えに要する配置換え費用情報からなる配置換え影響三要因に基づいて、省エネ拠点配置機器の拠点グループ内最適化配置情報を取得すること
を特徴とする機器最適化配置システム。
【請求項２】
請求項１に記載された機器最適化配置システムであって、
市場管理者端末が、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数を持ち、当該現状拠点配置機器ごとの現状の消費エネ状態情報と当該省エネ拠点配置機器ごとの消費エネ状態情報とに変動がないときに、前記省エネ量データ、前記市場サービス情報及び前記配置換えに要する配置換え費用情報からなる配置換え影響三要因に基づいて、省エネ拠点配置機器の拠点グループ内最適化配置情報を取得すること
を特徴とする機器最適化配置システム。
【請求項３】
請求項１又は２に記載された機器最適化配置システムにおいて、
市場サービス情報は、拠点グループの契約拠点外部からの市場外部情報も合わせて市場管理者端末に集合され、典型的に市場内に拠点グループを作成したことによるスケールメリットによる機器調達費の削減のサービス対応、減価償却済み又は減価償却中の拠点配置機器の再利用による機器調達費の削減のサービス対応、市場外部の機器最適化配置支援者からの支援金の取得によるサービス対応、あるいは実行される拠点グループ内の機器最適化配置のリアル状態消費エネ量から換算された炭酸ガス排出削減で得られた炭酸ガス排出削減換算金の取得によるサービス対応、省エネ効果変動へのリスクヘッジ要求に対する対応、あるいは財務指標改善要求に対する対応、契約者からの緊急性のある配置換え要求に対するサービス対応、あるいは契約者からの仕様変更した省エネ拠点配置機器の採用要求に関連したサービス対応のいずれか又はこれらの組み合わせであることを特徴とする機器最適化配置システム。
【請求項４】
請求項３に記載された機器最適化配置システムであって、
前記消費エネ量データ、前記配置換えに要する配置換え費用情報及び前記市場サービス情報から、配置換え影響三要因を複数取得し、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数を取得し、各数値化された値に基づいて、複数の配置換え影響三要因から一つの配置換え影響三要因を取得し、省エネ拠点配置機器の拠点グループ内最適化配置を取得すること
を特徴とする機器最適化配置システム。
【請求項５】
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされる市場が形成され、
拠点配置機器が現状消費エネ状態の現状拠点配置機器及び当該現状拠点配置機器に配置換えされ、現状消費エネに対して省エネ状態の出力制御パターンで運転され得る省現状拠点配置機器及び配置換えされた省エネ拠点配置機器が、それぞれ消費する消費エネ量を計測する計測装置を備え、当該現状拠点配置機器を省エネ拠点配置機器に配置換えされることで当該省エネ拠点配置機器ごとに付加価値を提供する市場サービス情報が市場管理者によって形成される機器最適化配置システム内での機器最適化配置の実行を支援する機器最適化配置支援システムであって、
市場管理者端末に、
市場管理者端末が、
前記拠点グループ、当該拠点グループ内の契約拠点に配置された現状拠点配置機器及び当該現状拠点配置機器ごとの現状の消費エネ状態情報、及び拠点グループ内の現状拠点配置機器に対して拠点グループ内の省エネ拠点配置機器でもってバーチャルに予定された状態で配置換え可能な省エネ拠点配置機器及び当該省エネ拠点配置機器ごとの消費エネ状態情報、当該現状拠点配置機器を省エネ拠点配置機器に配置換えされることで当該省エネ拠点配置機器ごとに付加価値を提供する市場サービス情報及び当該現状拠点配置機器から前記省エネ拠点配置機器に配置換えされたときの配置換え費用情報を記録させ、
各契約拠点に配置された現状拠点配置機器に対して拠点グループ内の省エネ拠点配置機器がバーチャルに予定された状態で配置換えされて、省エネ状態の出力制御パターンに従って運転された場合の操業状態と双方の消費エネ量との関係から省エネ量データを取得させ、また当該現状拠点配置機器を省エネ拠点配置機器に配置換えされることで省エネ拠点配置機器ごとに付加価値を提供する市場サービス情報を取得し及び前記省エネ拠点配置機器に配置換えされたときの配置換えに要する配置換え費用情報を取得し、前記省エネ量データ、前記市場サービス情報及び前記配置換えに要する配置換え費用情報からなる配置換え影響三要因に基づいて、省エネ拠点配置機器の拠点グループ内最適化配置情報を取得させること
を特徴とする機器最適化配置システム内での機器最適化配置の実行を支援する機器最適化配置支援システム。
【請求項６】
請求項５に記載された機器最適化配置システム内での機器最適化配置の実行を支援する機器最適化配置支援システムであって、
市場管理者端末に、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数を取得させること
を特徴とする機器最適化配置システム内での機器最適化配置の実行を支援する機器最適化配置支援システム。
【請求項７】
請求項１又は２に記載された機器最適化配置システムであって、
市場を備え、
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされ、
当該拠点グループ内最適化配置情報から、拠点グループ内の拠点に配置された現状拠点配置機器に省エネ拠点配置機器の配置換えを実行させる拠点グループ内の機器最適化配置を取得し、前記市場に、拠点グループ内の機器最適化配置がなされたこと
を特徴とする機器最適化配置システム。
【請求項８】
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされる市場が形成され、
拠点配置機器が現状消費エネ状態の現状拠点配置機器及び当該現状拠点配置機器に配置換えされ、現状消費エネに対して省エネ状態の出力制御パターンで運転され得る省現状拠点配置機器及び配置換えされた省エネ拠点配置機器が、それぞれ消費する消費エネ量を計測する計測装置を備え、当該現状拠点配置機器を省エネ拠点配置機器に配置換えされることで当該省エネ拠点配置機器ごとに付加価値を提供する市場サービス情報が市場管理者によって形成される機器最適化配置システムによる市場の運営方法において、
市場管理者端末が、
前記拠点グループ、当該拠点グループ内の契約拠点に配置された現状拠点配置機器及び当該現状拠点配置機器ごとの現状の消費エネ状態情報、及び拠点グループ内の現状拠点配置機器に対して拠点グループ内の省エネ拠点配置機器でもってバーチャルに予定された状態で配置換え可能な省エネ拠点配置機器及び当該省エネ拠点配置機器ごとの消費エネ状態情報、当該現状拠点配置機器を省エネ拠点配置機器に配置換えされることで当該省エネ拠点配置機器ごとに付加価値を提供する市場サービス情報及び当該現状拠点配置機器から前記省エネ拠点配置機器に配置換えされたときの配置換え費用情報を記録し、
各契約拠点に配置された現状拠点配置機器に対して拠点グループ内の省エネ拠点配置機器がバーチャルに予定された状態で配置換えされて、省エネ状態の出力制御パターンに従って運転された場合の操業状態と双方の消費エネ量との関係から省エネ量データを取得し、また当該現状拠点配置機器を省エネ拠点配置機器に配置換えされることで省エネ拠点配置機器ごとに付加価値を提供する市場サービス情報を取得し及び前記省エネ拠点配置機器に配置換えされたときの配置換えに要する配置換え費用情報を取得し、前記省エネ量データ、前記市場サービス情報及び前記配置換えに要する配置換え費用情報からなる配置換え影響三要因に基づいて、省エネ拠点配置機器の拠点グループ内最適化配置情報を取得し、
当該拠点グループ内最適化配置情報から、拠点グループ内の拠点に配置された現状拠点配置機器に省エネ拠点配置機器の配置換えを実行させる拠点グループ内の機器最適化配置を取得し、前記市場に、拠点グループ内の機器最適化配置を構成すること
を特徴とする機器最適化配置システムを備えた市場の運営方法。
【請求項９】
請求項８に記載された機器最適化配置システムを備えた市場の運営方法であって、
市場管理者端末が、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数基づいて、複数の配置換え影響三要因から一つの配置換え影響三要因を取得し、省エネ拠点配置機器の拠点グループ内最適化配置を取得し、市場に拠点グループ内の機器最適化配置を構成すること
を特徴とする機器最適化配置システムによる市場の運営方法。
【手続補正２】
【補正対象書類名】明細書
【補正対象項目名】００９３
【補正方法】変更
【補正の内容】
【００９３】
X、Y、Z軸上に表された３つの指数から体積が求められ、配置換え影響度を数値化することができ、数値の大きさに基づいて、複数の拠点グループ内の機器最適化配置を作成された複数の拠点グループ内の機器最適化配置を市場管理者が選択することができる。複数の拠点グループ内の機器最適化配置を作成するに際して、配置換え影響度の指数化は、便利に供される。市場管理者端末３によって機械的に求められた指数値に依存して拠点グループ内の機器最適化配置が作成され得る。  各指数を金額に換算すれば、単純加算で配置換え影響度をより目に見える形で、評価を容易にする形で数値化することができ、演算処理がより簡便化される。数値化にはランクによる段階数値が含まれる。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされる市場が形成され、
拠点配置機器が現状消費エネ状態の現状拠点配置機器及び当該現状拠点配置機器に配置換えされ、現状消費エネに対して省エネ状態の出力制御パターンで運転され得る省エネ拠点配置機器とからなり、
現状拠点配置機器及び配置換えされた省エネ拠点配置機器が、それぞれ消費する消費エネ量を計測する計測装置を備え、当該現状拠点配置機器を省エネ拠点配置機器に配置換えされることで当該省エネ拠点配置機器ごとに付加価値を提供する市場サービス情報が市場管理者によって形成され、
市場管理者端末が、
前記拠点グループ、当該拠点グループ内の契約拠点に配置された現状拠点配置機器及び当該現状拠点配置機器ごとの現状の消費エネ状態情報、及び拠点グループ内の現状拠点配置機器に対して拠点グループ内の省エネ拠点配置機器でもってバーチャルに予定された状態で配置換え可能な省エネ拠点配置機器及び当該省エネ拠点配置機器ごとの消費エネ状態情報、当該現状拠点配置機器を省エネ拠点配置機器に配置換えされることで省エネ拠点配置機器ごとに付加価値を提供する市場サービス情報及び当該現状拠点配置機器から前記省エネ拠点配置機器に配置換えされたときの配置換え費用情報を記録し、
各契約拠点に配置された現状拠点配置機器に対して拠点グループ内の省エネ拠点配置機器がバーチャルに予定された状態で配置換えされて、省エネ状態の出力制御パターンに従って運転された場合の操業状態と双方の消費エネ量との関係から省エネ量データを取得し、また当該現状拠点配置機器を省エネ拠点配置機器に配置換えされることで省エネ拠点配置機器ごとに付加価値を提供する市場サービス情報を取得し及び前記省エネ拠点配置機器に配置換えされたときの配置換えに要する配置換え費用情報を取得し、前記省エネ量データ、前記市場サービス情報及び前記配置換えに要する配置換え費用情報からなる配置換え影響三要因に基づいて、省エネ拠点配置機器の拠点グループ内最適化配置情報を取得すること
を特徴とする機器最適化配置システム。
【請求項２】
請求項１に記載された機器最適化配置システムであって、
市場管理者端末が、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数を持ち、当該現状拠点配置機器ごとの現状の消費エネ状態情報と当該省エネ拠点配置機器ごとの消費エネ状態情報とに変動がないときに、前記省エネ量データ、前記市場サービス情報及び前記配置換えに要する配置換え費用情報からなる配置換え影響三要因に基づいて、省エネ拠点配置機器の拠点グループ内最適化配置情報を取得すること
を特徴とする機器最適化配置システム。
【請求項３】
請求項１又は２に記載された機器最適化配置システムにおいて、
市場サービス情報は、拠点グループの契約拠点外部からの市場外部情報も合わせて市場管理者端末に集合され、典型的に市場内に拠点グループを作成したことによるスケールメリットによる機器調達費の削減のサービス対応、減価償却済み又は減価償却中の拠点配置機器の再利用による機器調達費の削減のサービス対応、市場外部の機器最適化配置支援者からの支援金の取得によるサービス対応、あるいは実行される拠点グループ内の機器最適化配置のリアル状態消費エネ量から換算された炭酸ガス排出削減で得られた炭酸ガス排出削減換算金の取得によるサービス対応、省エネ効果変動へのリスクヘッジ要求に対する対応、あるいは財務指標改善要求に対する対応、契約者からの緊急性のある配置換え要求に対するサービス対応、あるいは契約者からの仕様変更した省エネ拠点配置機器の採用要求に関連したサービス対応のいずれか又はこれらの組み合わせであることを特徴とする機器最適化配置システム。
【請求項４】
請求項３に記載された機器最適化配置システムであって、
前記消エネ量データ、前記配置換えに要する配置換え費用情報及び前記市場サービス情報から、配置換え影響三要因を複数取得し、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数を取得し、各数値化された値に基づいて、複数の配置換え影響三要因から一つの配置換え影響三要因を取得し、省エネ拠点配置機器の拠点グループ内最適化配置を取得すること
を特徴とする機器最適化配置システム。
【請求項５】
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされる市場が形成され、
拠点配置機器が現状消費エネ状態の現状拠点配置機器及び当該現状拠点配置機器に配置換えされ、現状消費エネに対して省エネ状態の出力制御パターンで運転され得る省エネ拠点配置機器及び配置換えされた省エネ拠点配置機器が、それぞれ消費する消費エネ量を計測する計測装置を備え、当該現状拠点配置機器を省エネ拠点配置機器に配置換えされることで当該省エネ拠点配置機器ごとに付加価値を提供する市場サービス情報が市場管理者によって形成される機器最適化配置システム内での機器最適化配置の実行を支援する機器最適化配置支援システムであって、
市場管理者端末に、
市場管理者端末が、
前記拠点グループ、当該拠点グループ内の契約拠点に配置された現状拠点配置機器及び当該現状拠点配置機器ごとの現状の消費エネ状態情報、及び拠点グループ内の現状拠点配置機器に対して拠点グループ内の省エネ拠点配置機器でもってバーチャルに予定された状態で配置換え可能な省エネ拠点配置機器及び当該省エネ拠点配置機器ごとの消費エネ状態情報、当該現状拠点配置機器を省エネ拠点配置機器に配置換えされることで当該省エネ拠点配置機器ごとに付加価値を提供する市場サービス情報及び当該現状拠点配置機器から前記省エネ拠点配置機器に配置換えされたときの配置換え費用情報を記録させ、
各契約拠点に配置された現状拠点配置機器に対して拠点グループ内の省エネ拠点配置機器がバーチャルに予定された状態で配置換えされて、省エネ状態の出力制御パターンに従って運転された場合の操業状態と双方の消費エネ量との関係から省エネ量データを取得させ、また当該現状拠点配置機器を省エネ拠点配置機器に配置換えされることで省エネ拠点配置機器ごとに付加価値を提供する市場サービス情報を取得し及び前記省エネ拠点配置機器に配置換えされたときの配置換えに要する配置換え費用情報を取得し、前記省エネ量データ、前記市場サービス情報及び前記配置換えに要する配置換え費用情報からなる配置換え影響三要因に基づいて、省エネ拠点配置機器の拠点グループ内最適化配置情報を取得させること
を特徴とする機器最適化配置システム内での機器最適化配置の実行を支援する機器最適化配置支援システム。
【請求項６】
請求項５に記載された機器最適化配置システム内での機器最適化配置の実行を支援する機器最適化配置支援システムであって、
市場管理者端末に、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数を取得させること
を特徴とする機器最適化配置システム内での機器最適化配置の実行を支援する機器最適化配置支援システム。
【請求項７】
請求項１又は２に記載された機器最適化配置システムであって、
市場を備え、
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされ、
当該拠点グループ内最適化配置情報から、拠点グループ内の拠点に配置された現状拠点配置機器に省エネ拠点配置機器の配置換えを実行させる拠点グループ内の機器最適化配置を取得し、前記市場に、拠点グループ内の機器最適化配置がなされたこと
を特徴とする機器最適化配置システム。
【請求項８】
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされる市場が形成され、
拠点配置機器が現状消費エネ状態の現状拠点配置機器及び当該現状拠点配置機器に配置換えされ、現状消費エネに対して省エネ状態の出力制御パターンで運転され得る省現状拠点配置機器及び配置換えされた省エネ拠点配置機器が、それぞれ消費する消費エネ量を計測する計測装置を備え、当該現状拠点配置機器を省エネ拠点配置機器に配置換えされることで当該省エネ拠点配置機器ごとに付加価値を提供する市場サービス情報が市場管理者によって形成される機器最適化配置システムによる市場の運営方法において、
市場管理者端末が、
前記拠点グループ、当該拠点グループ内の契約拠点に配置された現状拠点配置機器及び当該現状拠点配置機器ごとの現状の消費エネ状態情報、及び拠点グループ内の現状拠点配置機器に対して拠点グループ内の省エネ拠点配置機器でもってバーチャルに予定された状態で配置換え可能な省エネ拠点配置機器及び当該省エネ拠点配置機器ごとの消費エネ状態情報、当該現状拠点配置機器を省エネ拠点配置機器に配置換えされることで当該省エネ拠点配置機器ごとに付加価値を提供する市場サービス情報及び当該現状拠点配置機器から前記省エネ拠点配置機器に配置換えされたときの配置換え費用情報を記録し、
各契約拠点に配置された現状拠点配置機器に対して拠点グループ内の省エネ拠点配置機器がバーチャルに予定された状態で配置換えされて、省エネ状態の出力制御パターンに従って運転された場合の操業状態と双方の消費エネ量との関係から省エネ量データを取得し、また当該現状拠点配置機器を省エネ拠点配置機器に配置換えされることで省エネ拠点配置機器ごとに付加価値を提供する市場サービス情報を取得し及び前記省エネ拠点配置機器に配置換えされたときの配置換えに要する配置換え費用情報を取得し、前記省エネ量データ、前記市場サービス情報及び前記配置換えに要する配置換え費用情報からなる配置換え影響三要因に基づいて、省エネ拠点配置機器の拠点グループ内最適化配置情報を取得し、
当該拠点グループ内最適化配置情報から、拠点グループ内の拠点に配置された現状拠点配置機器に省エネ拠点配置機器の配置換えを実行させる拠点グループ内の機器最適化配置を取得し、前記市場に、拠点グループ内の機器最適化配置を構成すること
を特徴とする機器最適化配置システムを備えた市場の運営方法。
【請求項９】
請求項８に記載された機器最適化配置システムを備えた市場の運営方法であって、
市場管理者端末が、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数基づいて、複数の配置換え影響三要因から一つの配置換え影響三要因を取得し、省エネ拠点配置機器の拠点グループ内最適化配置を取得し、市場に拠点グループ内の機器最適化配置を構成すること
を特徴とする機器最適化配置システムによる市場の運営方法。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされる市場が形成され、
拠点配置機器が現状消費エネ状態の現状拠点配置機器及び当該現状拠点配置機器に配置換えされ、現状消費エネに対して省エネ状態の出力制御パターンで運転され得る省エネ拠点配置機器とからなり、
現状拠点配置機器及び配置換えされた省エネ拠点配置機器が、それぞれ消費する消費エネ量を計測する計測装置を備え、当該現状拠点配置機器を省エネ拠点配置機器に配置換えされることで当該省エネ拠点配置機器ごとに付加価値を提供する市場サービス情報が市場管理者によって形成され、
市場管理者端末が、
前記拠点グループ、当該拠点グループ内の契約拠点に配置された現状拠点配置機器及び当該現状拠点配置機器ごとの現状の消費エネ状態情報、及び拠点グループ内の現状拠点配置機器に対して拠点グループ内の省エネ拠点配置機器でもってバーチャルに予定された状態で配置換え可能な省エネ拠点配置機器及び当該省エネ拠点配置機器ごとの消費エネ状態情報、当該現状拠点配置機器を省エネ拠点配置機器に配置換えされることで省エネ拠点配置機器ごとに付加価値を提供する市場サービス情報及び当該現状拠点配置機器から前記省エネ拠点配置機器に配置換えされたときの配置換え費用情報を記録し、
各契約拠点に配置された現状拠点配置機器に対して拠点グループ内の省エネ拠点配置機器がバーチャルに予定された状態で配置換えされて、省エネ状態の出力制御パターンに従って運転された場合の操業状態と双方の消費エネ量との関係から省エネ量データを取得し、また当該現状拠点配置機器を省エネ拠点配置機器に配置換えされることで省エネ拠点配置機器ごとに付加価値を提供する市場サービス情報を取得し及び前記省エネ拠点配置機器に配置換えされたときの配置換えに要する配置換え費用情報を取得し、前記省エネ量データ、前記市場サービス情報及び前記配置換えに要する配置換え費用情報からなる配置換え影響三要因に基づいて、省エネ拠点配置機器の拠点グループ内最適化配置情報を取得すること
を特徴とする機器最適化配置システム。
【請求項２】
請求項１に記載された機器最適化配置システムであって、
市場管理者端末が、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数を持ち、当該現状拠点配置機器ごとの現状の消費エネ状態情報と当該省エネ拠点配置機器ごとの消費エネ状態情報とに変動がないときに、前記省エネ量データ、前記市場サービス情報及び前記配置換えに要する配置換え費用情報からなる配置換え影響三要因に基づいて、省エネ拠点配置機器の拠点グループ内最適化配置情報を取得すること
を特徴とする機器最適化配置システム。
【請求項３】
請求項１又は２に記載された機器最適化配置システムにおいて、
市場サービス情報は、拠点グループの契約拠点外部からの市場外部情報も合わせて市場管理者端末に集合され、典型的に市場内に拠点グループを作成したことによるスケールメリットによる機器調達費の削減のサービス対応、減価償却済み又は減価償却中の拠点配置機器の再利用による機器調達費の削減のサービス対応、市場外部の機器最適化配置支援者からの支援金の取得によるサービス対応、あるいは実行される拠点グループ内の機器最適化配置のリアル状態消費エネ量から換算された炭酸ガス排出削減で得られた炭酸ガス排出削減換算金の取得によるサービス対応、省エネ効果変動へのリスクヘッジ要求に対する対応、あるいは財務指標改善要求に対する対応、契約者からの緊急性のある配置換え要求に対するサービス対応、あるいは契約者からの仕様変更した省エネ拠点配置機器の採用要求に関連したサービス対応のいずれか又はこれらの組み合わせであることを特徴とする機器最適化配置システム。
【請求項４】
請求項３に記載された機器最適化配置システムであって、
前記省エネ量データ、前記配置換えに要する配置換え費用情報及び前記市場サービス情報から、配置換え影響三要因を複数取得し、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数を取得し、各数値化された値に基づいて、複数の配置換え影響三要因から一つの配置換え影響三要因を取得し、省エネ拠点配置機器の拠点グループ内最適化配置を取得すること
を特徴とする機器最適化配置システム。
【請求項５】
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされる市場が形成され、
拠点配置機器が現状消費エネ状態の現状拠点配置機器及び当該現状拠点配置機器に配置換えされ、現状消費エネに対して省エネ状態の出力制御パターンで運転され得る省エネ拠点配置機器及び配置換えされた省エネ拠点配置機器が、それぞれ消費する消費エネ量を計測する計測装置を備え、当該現状拠点配置機器を省エネ拠点配置機器に配置換えされることで当該省エネ拠点配置機器ごとに付加価値を提供する市場サービス情報が市場管理者によって形成される機器最適化配置システム内での機器最適化配置の実行を支援する機器最適化配置支援システムであって、
市場管理者端末に、
市場管理者端末が、
前記拠点グループ、当該拠点グループ内の契約拠点に配置された現状拠点配置機器及び当該現状拠点配置機器ごとの現状の消費エネ状態情報、及び拠点グループ内の現状拠点配置機器に対して拠点グループ内の省エネ拠点配置機器でもってバーチャルに予定された状態で配置換え可能な省エネ拠点配置機器及び当該省エネ拠点配置機器ごとの消費エネ状態情報、当該現状拠点配置機器を省エネ拠点配置機器に配置換えされることで当該省エネ拠点配置機器ごとに付加価値を提供する市場サービス情報及び当該現状拠点配置機器から前記省エネ拠点配置機器に配置換えされたときの配置換え費用情報を記録させ、
各契約拠点に配置された現状拠点配置機器に対して拠点グループ内の省エネ拠点配置機器がバーチャルに予定された状態で配置換えされて、省エネ状態の出力制御パターンに従って運転された場合の操業状態と双方の消費エネ量との関係から省エネ量データを取得させ、また当該現状拠点配置機器を省エネ拠点配置機器に配置換えされることで省エネ拠点配置機器ごとに付加価値を提供する市場サービス情報を取得し及び前記省エネ拠点配置機器に配置換えされたときの配置換えに要する配置換え費用情報を取得し、前記省エネ量データ、前記市場サービス情報及び前記配置換えに要する配置換え費用情報からなる配置換え影響三要因に基づいて、省エネ拠点配置機器の拠点グループ内最適化配置情報を取得させること
を特徴とする機器最適化配置システム内での機器最適化配置の実行を支援する機器最適化配置支援システム。
【請求項６】
請求項５に記載された機器最適化配置システム内での機器最適化配置の実行を支援する機器最適化配置支援システムであって、
市場管理者端末に、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数を取得させること
を特徴とする機器最適化配置システム内での機器最適化配置の実行を支援する機器最適化配置支援システム。
【請求項７】
請求項１又は２に記載された機器最適化配置システムであって、
市場を備え、
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされ、
当該拠点グループ内最適化配置情報から、拠点グループ内の拠点に配置された現状拠点配置機器に省エネ拠点配置機器の配置換えを実行させる拠点グループ内の機器最適化配置を取得し、前記市場に、拠点グループ内の機器最適化配置がなされたこと
を特徴とする機器最適化配置システム。
【請求項８】
市場管理者によって管理される管理拠点及び市場管理者と契約者との間契約に基づいて管理される多数の契約拠点が設けられて、拠点グループが形成され、通信システムに連係され、管理拠点に市場管理者端末が配置され、及び各契約拠点に拠点配置機器及び契約者端末が配置され、契約拠点に配置された契約者端末から拠点配置機器の配置換えに関連した情報が集合され、市場管理者の市場管理の下に拠点配置機器の配置換えがなされる市場が形成され、
拠点配置機器が現状消費エネ状態の現状拠点配置機器及び当該現状拠点配置機器に配置換えされ、現状消費エネに対して省エネ状態の出力制御パターンで運転され得る省現状拠点配置機器及び配置換えされた省エネ拠点配置機器が、それぞれ消費する消費エネ量を計測する計測装置を備え、当該現状拠点配置機器を省エネ拠点配置機器に配置換えされることで当該省エネ拠点配置機器ごとに付加価値を提供する市場サービス情報が市場管理者によって形成される機器最適化配置システムによる市場の運営方法において、
市場管理者端末が、
前記拠点グループ、当該拠点グループ内の契約拠点に配置された現状拠点配置機器及び当該現状拠点配置機器ごとの現状の消費エネ状態情報、及び拠点グループ内の現状拠点配置機器に対して拠点グループ内の省エネ拠点配置機器でもってバーチャルに予定された状態で配置換え可能な省エネ拠点配置機器及び当該省エネ拠点配置機器ごとの消費エネ状態情報、当該現状拠点配置機器を省エネ拠点配置機器に配置換えされることで当該省エネ拠点配置機器ごとに付加価値を提供する市場サービス情報及び当該現状拠点配置機器から前記省エネ拠点配置機器に配置換えされたときの配置換え費用情報を記録し、
各契約拠点に配置された現状拠点配置機器に対して拠点グループ内の省エネ拠点配置機器がバーチャルに予定された状態で配置換えされて、省エネ状態の出力制御パターンに従って運転された場合の操業状態と双方の消費エネ量との関係から省エネ量データを取得し、また当該現状拠点配置機器を省エネ拠点配置機器に配置換えされることで省エネ拠点配置機器ごとに付加価値を提供する市場サービス情報を取得し及び前記省エネ拠点配置機器に配置換えされたときの配置換えに要する配置換え費用情報を取得し、前記省エネ量データ、前記市場サービス情報及び前記配置換えに要する配置換え費用情報からなる配置換え影響三要因に基づいて、省エネ拠点配置機器の拠点グループ内最適化配置情報を取得し、
当該拠点グループ内最適化配置情報から、拠点グループ内の拠点に配置された現状拠点配置機器に省エネ拠点配置機器の配置換えを実行させる拠点グループ内の機器最適化配置を取得し、前記市場に、拠点グループ内の機器最適化配置を構成すること
を特徴とする機器最適化配置システムを備えた市場の運営方法。
【請求項９】
請求項８に記載された機器最適化配置システムを備えた市場の運営方法であって、
市場管理者端末が、前記省エネ量データ、前記配置換えに要する配置換え費用情報及び前記市場サービス情報からなる前記配置換え影響三要因に基づいて、金額に換算された、省エネ指数、配置換え費用指数及び市場サービス指数基づいて、複数の配置換え影響三要因から一つの配置換え影響三要因を取得し、省エネ拠点配置機器の拠点グループ内最適化配置を取得し、市場に拠点グループ内の機器最適化配置を構成すること
を特徴とする機器最適化配置システムによる市場の運営方法。